(57)【要約】【課題】竪樋を竪樋支持具に仮止めすることができ、竪樋を竪樋支持具に取り付けた後も竪樋の位置調整が可能な竪樋支持構造を提供すること。【解決手段】竪樋本体１１の外面から突出する結合部１２を備えた竪樋１と、建物外壁Ｗに固定されて竪樋を支持する竪樋支持具２とを含む竪樋支持構造であって、突出部２３の先端部２３bが竪樋と非接触の状態で結合部が爪部２５で保持されると、竪樋が竪樋支持具に仮止めされ、竪樋が竪樋支持具に仮止めされた状態から、突出部を建物外方側に向かってスライドさせて突出部の先端部が竪樋に当接すると、竪樋が竪樋支持具に固定される。【選択図】図１
2018138746.tif 000002
【特許請求の範囲】
【請求項１】
竪樋本体の外面から突出する結合部を備えた竪樋と、建物外壁に固定されて前記竪樋を支持する竪樋支持具とを含む竪樋支持構造であって、
前記竪樋支持具は、
建物外壁に固定される固定部と、
前記固定部の水平方向の両端付近から建物外方側に向かって略平行に延び、互いに離間して水平方向に対向する一対の挟持片と、
前記固定部の水平方向の中央付近から建物外方側に向かってスライド自在な突出部と、
を備え、
前記挟持片の先端付近には、対向する他方の前記挟持片側へ向かって突出し、前記竪樋の前記結合部を保持可能な爪部が設けられており、
前記突出部の先端部が前記竪樋と非接触の状態で前記結合部が前記爪部で保持されると、前記竪樋が前記竪樋支持具に仮止めされ、
前記竪樋が前記竪樋支持具に仮止めされた状態から、前記突出部を建物外方側に向かってスライドさせて前記突出部の前記先端部が前記竪樋に当接すると、前記竪樋が前記竪樋支持具に固定されることを特徴とする竪樋支持構造。
【請求項２】
前記結合部は、
前記竪樋本体の外面から突出し、互いに水平方向に対向する２つのリブと、
それぞれの前記リブの先端から外側に向かって突出する係合爪と、
を備え、
前記爪部によって前記係合爪が保持され、前記突出部を建物外方側に向かってスライドさせると、前記突出部が前記リブ同士の間の竪樋本体と当接することを特徴とする請求項１に記載の竪樋支持構造。
【発明の詳細な説明】
【技術分野】
【０００１】
本発明は、竪樋支持構造に関する。
【背景技術】
【０００２】
従来より、竪樋と、建物外壁に固定されて竪樋を支持する竪樋支持具とを備えた竪樋支持構造が知られている。
【０００３】
例えば、特許文献１の竪樋支持構造では、竪樋に設けられた結合部（突条係止リブの係止部）と竪樋支持具（樋係着部材）の両端の係止片とを係合させることで、竪樋を竪樋支持具に取り付けている。また、この竪樋支持構造では、竪樋支持具（樋係着部材）の中央に設けられた係合片が竪樋の突条係止リブの間に挿入されて係合溝部と対峙している。
【先行技術文献】
【特許文献】
【０００４】
【特許文献１】特開2000−248699号公報
【発明の概要】
【発明が解決しようとする課題】
【０００５】
しかしながら、特許文献１の竪樋支持構造の場合、竪樋支持具の両端の係止片と中央に設けられた係合片とによって竪樋の結合部を強く保持する構造であるため、一旦、竪樋を竪樋支持具に取り付けると、竪樋の位置調整を行うのが難しいという問題がある。
【０００６】
本発明は、以上のとおりの事情に鑑みてなされたものであり、竪樋を竪樋支持具に仮止めすることができ、竪樋を竪樋支持具に取り付けた後も竪樋の位置調整が可能な竪樋支持構造を提供することを課題としている。
【課題を解決するための手段】
【０００７】
上記の課題を解決するために、本発明は、竪樋本体の外面から突出する結合部を備えた竪樋と、建物外壁に固定されて前記竪樋を支持する竪樋支持具とを含む竪樋支持構造であって、
前記竪樋支持具は、
建物外壁に固定される固定部と、
前記固定部の水平方向の両端付近から建物外方側に向かって略平行に延び、互いに離間して水平方向に対向する一対の挟持片と、
前記固定部の水平方向の中央付近から建物外方側に向かってスライド自在な突出部と、
を備え、
前記挟持片の先端付近には、対向する他方の前記挟持片側へ向かって突出し、前記竪樋の前記結合部を保持可能な爪部が設けられており、
前記突出部の先端部が前記竪樋と非接触の状態で前記結合部が前記爪部で保持されると、前記竪樋が前記竪樋支持具に仮止めされ、
前記竪樋が前記竪樋支持具に仮止めされた状態から、前記突出部を建物外方側に向かってスライドさせて前記突出部の前記先端部が前記竪樋に当接すると、前記竪樋が前記竪樋支持具に固定されることを特徴としている。
【発明の効果】
【０００８】
本発明の竪樋支持構造によれば、竪樋を竪樋支持具に仮止めすることができ、竪樋を竪樋支持具に取り付けた後も竪樋の位置調整を行うことができる。
【図面の簡単な説明】
【０００９】
【図１】本発明の竪樋支持構造の一実施形態において、竪樋を竪樋支持具に仮止めした状態を例示した平面図である。
【図２】図１に示した実施形態において、竪樋を竪樋支持具に固定した状態を例示した平面図である。
【図３】本発明の竪樋支持構造における竪樋の一実施形態を例示した斜視図である。
【図４】本発明の竪樋支持構造における竪樋支持具の一実施形態を例示した斜視図である。
【発明を実施するための形態】
【００１０】
図１は、本発明の竪樋支持構造の一実施形態において、竪樋を竪樋支持具に仮止めした状態を例示した平面図である。図２は、図１に示した実施形態において、竪樋を竪樋支持具に固定した状態を例示した平面図である。図３は、本発明の竪樋支持構造における竪樋の一実施形態を例示した斜視図である。図４は、本発明の竪樋支持構造における竪樋支持具の一実施形態を例示した斜視図である。
【００１１】
この実施形態の竪樋支持構造は、竪樋本体１１の外面から突出する結合部１２を備えた竪樋１と、建物外壁Ｗに固定されて竪樋１を支持する竪樋支持具２とを含む。竪樋支持具２は、建物外壁Ｗに固定される固定部２１と、固定部２１の水平方向の両端付近から建物外方側に向かって略平行に延び、互いに離間して水平方向に対向する一対の挟持片２２と、固定部２１から建物外方側に向かってスライド自在な突出部２３とを備える。挟持片２２の先端付近には、対向する他方の挟持片２２側へ向かって突出し、竪樋１の結合部１２を保持可能な爪部２５が設けられている。突出部２３の先端部２３bが竪樋１と非接触の状態で結合部１２が爪部２５で保持されると、竪樋１が竪樋支持具２に仮止めされる。竪樋１が竪樋支持具２に仮止めされた状態から、突出部２３を建物外方側に向かってスライドさせて突出部１２の先端部２３bが竪樋１に当接すると、竪樋１が竪樋支持具２に固定される。
【００１２】
この実施形態の竪樋支持構造では、結合部１２は、竪樋本体１１の外面から突出し、互いに水平方向に対向する２つのリブ１２aと、それぞれのリブ１２aの先端から外側に向かって突出する係合爪１２bとを備えることが好ましい。爪部２５によって係合爪１２bが保持され、突出部２３を建物外方側に向かってスライドさせると、突出部２３がリブ１２a同士の間の竪樋本体１１と当接することが好ましい。
【００１３】
以下、図１〜図４に基づいて、本発明の竪樋支持構造の実施形態について説明する。
【００１４】
この実施形態の竪樋支持構造では、竪樋１は、竪樋本体１１と結合部１２とを備えている。
【００１５】
図３に例示したように、竪樋本体１１は、縦長の略円筒状に形成されている。
【００１６】
結合部１２は、竪樋本体１１の外面から突出する２つのリブ１２aが互いに水平方向に対向している。リブ１２aは竪樋本体１１の長手方向に沿って延びており、互いに平行である。それぞれのリブ１２aの先端には、外側（対向する他方のリブ１２aとは反対方向）に向かって突出する係合爪１２bが設けられている。
【００１７】
図４に例示したように、竪樋支持具２は、固定部２１と、挟持片２２と、突出部２３とを備えている。
【００１８】
固定部２１は、ネジなどの固定具（図示していない）などを介して建物外壁Ｗ（図１に図示）に固定される。
【００１９】
固定部２１は、垂直方向に起立する起立面部２１１と、起立面部２１１から建物外壁Ｗ側に向かって水平方向に突出する支持部２１２とを備えている。支持部２１２の一端の固定面２１２aが建物外壁Ｗに当接する。また、固定部２１の水平方向の中央付近には、起立面部２１１の建物外方側の正面部２１１aから支持部２１２の固定面２１２a側に向かって連通する開口部２１３が形成されている。
【００２０】
固定部２１の上面部２１Ａには、支持部２１２から起立面部２１１付近に亘って、開口部２１３と連通するスリット部２４が形成されている。スリット部２４は、支持部２１２の固定面２１２a側から起立面部２１１側に向かって長い矩形状に開口している。
【００２１】
挟持片２２は、固定部２１の起立面部２１１の水平方向の両端から建物外方側に向かって略平行に延びている。一対の挟持片２２は、互いに離間して水平方向に対向している。
【００２２】
挟持片２２の先端付近には、対向する他方の挟持片２２側へ向かって突出する爪部２５が設けられている。対応する爪部２５同士の間隔は、竪樋１の結合部１２のリブ１２aの位置に対応しており、挟持片２２の爪部２５によって竪樋１の結合部１２を保持することができる。
【００２３】
突出部２３は、固定部２１の開口部２１３の内部に収納されている。突出部２３は、略直方体状であり、突出部２３の上面に設けられたつまみ部２３aが、固定部２１のスリット部２４に下側から挿入されて上方に突出している。つまみ部２３aは、手指で保持してスリット部２４の長手方向に沿って前後に動かすことができ、スリット部２４内のつまみ部２３aを建物外方側に動かすことで、突出部２３は、固定部２１の水平方向の中央付近から建物外方側に向かってスライドさせることができる。なお、つまみ部２３aを手指で押さえると、突出部２３が移動可能となり、つまみ部２３aから手指を離すと、突出部２３が固定されて後退しないような動き止め構造が設けられていることが好ましい。
【００２４】
図１に例示したように、つまみ部２３aがスリット部２４の建物外壁Ｗ側に位置している状態では、突出部２３の建物外壁Ｗ側に位置する部分が開口部２１３内に収納されており、先端部２３b付近のみが開口部２１３から建物外方側に突出している。
【００２５】
竪樋支持具２の対抗する挟持片２２の間から固定部２１側に竪樋１の結合部１２を挿入すると、結合部１２の係合爪１２bが爪部２５に当接して挟持片２２が外側に弾性変形し、係合爪１２bが爪部２５の後方に廻り込んで保持される。
【００２６】
そして、つまみ部２３aがスリット部２４の建物外壁Ｗ側に位置している状態では、突出部２３の先端部２３bとリブ１２a同士の間に位置する竪樋本体１１との間には隙間があり、非接触の状態になっている。この状態では、竪樋支持具２の爪部２５によって竪樋１の係合爪１２bが保持されて仮止めされており、竪樋１を上下に動かすことができるため、位置調整を容易に行うことができる。なお、竪樋１の「仮止め」とは、竪樋支持具２によって保持されているが、竪樋１を上下に動かすことができる状態をいう。
【００２７】
一方、図２に例示したように、竪樋支持具２の爪部２５によって竪樋１の係合爪１２bが保持されている仮止めの状態から、スリット部２４内のつまみ部２３aを建物外方側に動かすことができる。これによって、突出部２３は、一対の挟持片２２の間を建物外方側にスライドして突出し、突出部２３の先端部２３bがリブ１２a同士の間の竪樋本体１１と当接する。このため、竪樋１は、竪樋支持具２の両側の爪部２５と突出部２３とによって３点で保持されて竪樋支持具２に安定に固定される。
【００２８】
この実施形態の竪樋支持構造によれば、竪樋１を竪樋支持具２に仮止めすることができ、竪樋１を竪樋支持具２に取り付けた後も竪樋１の位置調整を行うことができる。また、竪樋１の仮止め状態から、容易かつ安定に竪樋１を固定することができる。
【００２９】
本発明の竪樋支持構造は、以上の実施形態に限定されるものではない。例えば、突出部は、図１〜図４に例示したようなスリット部内のつまみ部を操作する形態に限定されず、固定部から建物外方側に向かってスライドして竪樋と当接可能な形態に適宜設計することができる。
【符号の説明】
【００３０】
１    竪樋
１１  竪樋本体
１２  結合部
１２a  リブ
１２b  係合爪
２    竪樋支持具
２１  固定部
２２  挟持片
２３  突出部
２３b  先端部
２５    爪部
【図１】
2018138746.tif 000003
【図２】
2018138746.tif 000004
【図３】
2018138746.tif 000005
【図４】
2018138746.tif 000006